(57)【要約】【課題】フレームを容易に形成することができるチェストを提供する。【解決手段】チェスト本体１２を構成するフレーム１１に引出１３を出し入れ自在に収容する。フレーム１１に引出１３を支持する支持部品８０を設ける。前記支持部品８０を、前記フレーム１１と別部材からなる合成樹脂製のベース部材８２と、該ベース部材８２に回転自在に設けられた金属製のフレーム側ローラー９２とで構成する。前記フレーム１１に、前記ベース部材８２を差し込んで固定する取付部７３を設ける。前記ベース部材８２を前記取付部７３に取り付けた状態で、当該ベース部材８２が突出部壁面７８内に配置されるとともに、前記フレーム側ローラー９２が設けられた前記ベース部材８２のローラー取付面７９が前記突出部壁面７８と略面一となるように構成する。【選択図】図５
0003118067.tif 000002
【実用新案登録請求の範囲】
【請求項１】
引出を出し入れ自在に収容するフレームの壁面に、前記引出を支持する支持部が取り付けられる取付部が設けられたチェストにおいて、
前記支持部を、前記フレームと別部材からなるベース部材と、該ベース部材に回転自在に設けられ前記引出を支持するローラーとで構成する一方、
前記ベース部材を前記取付部に取り付けた状態で、当該ベース部材が前記壁面内に配置されるとともに、前記ローラーが設けられた前記ベース部材のローラー取付面が前記壁面と略面一となるように構成したことを特徴とするチェスト。
【請求項２】
前記取付部を、前記壁面に形成された溝で構成する一方、
前記ベース部材を、前記溝に挿入される板状に形成するとともに、当該ベース部材の一側面に、前記壁面の肉厚分突出した段差部を形成し、該段差部に前記ローラ取付面を設定したことを特徴とする請求項１記載のチェスト。
【請求項３】
前記ローラーを金属で形成するとともに、前記ベース部材を合成樹脂で形成したことを特徴とする請求項１又は２記載のチェスト。
【考案の詳細な説明】
【技術分野】
【０００１】
本考案は、衣類や小物などを収容するチェストに関する。
【背景技術】
【０００２】
従来、衣類や小物などを収納する際には、チェストが用いられていた。
【０００３】
このチェストは、フレームと、該フレームに出し入れ自在に収容される引出とを備えており、前記フレーム及び引出は、樹脂成形されている。前記フレームには、内側へ向けて突出した支持部が設けられており、該支持部によって前記引出を支持できるように構成されている。
【考案の開示】
【考案が解決しようとする課題】
【０００４】
しかしながら、このようなチェストにあっては、フレームに内側へ突出する支持部を形成するには苦労を要した。
【０００５】
本考案は、このような従来の課題に鑑みてなされたものであり、フレームを容易に形成することができるチェストを提供することを目的とするものである。
【課題を解決するための手段】
【０００６】
前記課題を解決するために本考案の請求項１のチェストにあっては、引出を出し入れ自在に収容するフレームの壁面に、前記引出を支持する支持部が取り付けられる取付部が設けられたチェストにおいて、前記支持部を、前記フレームと別部材からなるベース部材と、該ベース部材に回転自在に設けられ前記引出を支持するローラーとで構成する一方、前記ベース部材を前記取付部に取り付けた状態で、当該ベース部材が前記壁面内に配置されるとともに、前記ローラーが設けられた前記ベース部材のローラー取付面が前記壁面と略面一となるように構成した。
【０００７】
ここで、本明細書において、ベース部材のローラー取付面が壁面と略面一とは、前記ローラー取付面が前記壁面から１ｍｍ〜２ｍｍ突出する範囲までを含むものとし、引出との干渉が防止できる範囲内とする。また、前記ローラー取付面が前記壁面から１ｍｍ〜２ｍｍ後退するものも含むものとする。
【０００８】
すなわち、引出を支持する支持部は、フレームと別部材からなるベース部材と、該ベース部材に回転自在に設けられ前記引出を支持するローラーとで構成されており、前記フレームの壁面には、前記支持部が取り付けられる取付部が設けられている。
【０００９】
このため、前記支持部を前記フレームに一体形成しなければならなかった従来と比較して、前記フレームが容易に形成される。
【００１０】
そして、前記ベース部材を前記取付部に取り付けた状態では、当該ベース部材が前記壁面内に配置され、前記ローラーが設けられた前記ベース部材のローラー取付面が前記壁面と略面一となるように構成されている。
【００１１】
このため、前記ベース部材が内側に突出する場合と比較して、前記ベース部材と引出との干渉が防止される。
【００１２】
また、請求項２のチェストにおいては、前記取付部を、前記壁面に形成された溝で構成する一方、前記ベース部材を、前記溝に挿入される板状に形成するとともに、当該ベース部材の一側面に、前記壁面の肉厚分突出した段差部を形成し、該段差部に前記ローラ取付面を設定した。
【００１３】
すなわち、前記取付部は、前記壁面に形成された溝で構成されており、前記ベース部材には、前記溝に挿入される板状に形成されている。そして、このベース部材の一側面には、前記壁面の肉厚分突出した段差部が形成されており、該段差部に前記ローラ取付面が設定されている。
【００１４】
このため、前記溝に前記ベース部材を挿入した状態では、該ベース部材に形成された前記段差部が前記溝の開口部に挿入され、当該溝の開口部が前記段差部によって埋められる。これにより、前記溝の開口部が開口した場合と比較して、前記溝の開口縁部の前記引出への不用意な引っ掛かりが防止される。
【００１５】
さらに、請求項３のチェストでは、前記ローラーを金属で形成するとともに、前記ベース部材を合成樹脂で形成した。
【００１６】
このように、前記ベース部材を、前記フレームと別部材で構成することによって、当該ベース部材に金属のローラーを設けることができる。
【考案の効果】
【００１７】
以上説明したように、本考案の請求項１のチェストにあっては、引出を支持する支持部を、フレームと別部材からなるベース部材と、該ベース部材に回転自在に設けられたローラーとで構成するとともに、前記フレームの壁面に、前記支持部が取り付けられる取付部を設けたため、前記支持部を前記フレームに一体形成しなければならなかった従来と比較して、前記フレームを容易に形成することができる。
【００１８】
そして、前記ベース部材を前記取付部に取り付けた状態では、当該ベース部材が前記壁面内に配置され、前記ローラーが設けられた前記ベース部材のローラー取付面が前記壁面と略面一となるように構成されている。このため、前記ベース部材が内側に突出する場合と比較して、引出との干渉を防止することができる。これにより、引出の引っ掛かりを防止し、引出のスムーズな出し入れを実現することができる。
【００１９】
また、請求項２のチェストにおいては、壁面の取付部を構成する溝にベース部材を挿入した状態において、該ベース部材に形成された段差部が前記溝の開口部に挿入され、この段差部によって前記溝の開口部を埋めることができる。
【００２０】
このため、前記溝の開口部が開口する場合と比較して、前記溝の開口縁部の前記引出への不用意な引っ掛かりを防止することができる。
【００２１】
さらに、請求項３のチェストでは、前記ベース部材を、前記フレームと別部材で構成することによって、当該ベース部材に金属のローラーを設けることができる。
【００２２】
これにより、引出のスライド性を高めることができる。
【考案を実施するための最良の形態】
【００２３】
以下、本考案の一実施の形態を図に従って説明する。図１は、本実施の形態にかかるチェスト１を示す図であり、該チェスト１は、衣類や小物などを収納するものである。
【００２４】
このチェスト１は、図２にも示すように、フレーム１１を形成するチェスト本体１２と、該チェスト本体１２に設けられた矩形容器状の引出１３，１３とによって構成されている。
【００２５】
前記チェスト本体１２を形成する前記フレーム１１は、上下に連結された二つ合成樹脂製のフレーム構成部材２１，２１によって構成されており、下段のフレーム構成部材２１の底面２２裏側には、キャスター２３，・・・が四隅に設けられている。上段のフレーム構成部材２１には、合成樹脂製の天板２４が設けられており、両フレーム構成部材２１，２１間及び上段のフレーム構成部材２１と前記天板２４間には、合成樹脂製の前記引出１３，１３が引き出し自在に保持されている。
【００２６】
前記フレーム構成部材２１は、図３及び図４に示すように、中央部に矩形開口部３１が形成された長方形状の底板部３２と、該底板部３２の四隅に一体形成された支柱３３，・・・とによって構成されており、当該フレーム構成部材は、前記支柱３３，・・・の長さ方向に型開きされる金型によって形成されている。
【００２７】
該支柱３３は、四角柱状に形成されており、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、上段のフレーム構成部材２１の支柱３３下部に挿入された状態で固定されており、上段のフレーム構成部材２１の支柱３３の挿入部４２は、前記天板２４に挿入された状態で固定されている。
【００２８】
前記フレーム構成部材２１における前後の支柱３３，３３間には、図４にも示すように、フレーム側レール５１が設けられている。
【００２９】
すなわち、両支柱３３，３３間には、下部側壁面６１が両支柱３３，３３の下部に一体形成されており、該下部側壁面６１には、内側へ向けて突出した上方ガイド部６２が当該フレーム構成部材２１の前記底板部３２の底面２２に沿って形成されている。上方ガイド部６２は、その奥側に欠損した切欠部６５が設定されており、当該上方ガイド部６２は、奥側の支柱３３より手前側で終了するように構成されている。これにより、当該フレーム構成部材２１には、前記上方ガイド部６２と、該上方ガイド部６２に対向した前記底板部３２の対向部位が構成する下方ガイド部６３とによって、前記フレーム側レール５１が構成されている。
【００３０】
このフレー構成部材２１の支柱３３，３３の内側面には、内側に突出した突出部７１，７１が上端部から下端に渡って形成されており、前方Ｆ側に配置された支柱３３における前記突出部７１は、下端部において前方に延出している。この前方に突出した前方突出部７２には、図５にも示すように、上下に延在する溝状の取付部７３が形成されており、該取付部７３は、図４に示したように、当該フレーム構成部材２１を形成する金型の金型移動方向７４に延在するとともに、当該金型が型抜き時に移動される方向と同方向である上方へ向けて開口するように構成されている。
【００３１】
この取付部は、図５に示したように、前記突出部７１に開口した幅狭部７５と、該幅狭部７５の奥側に設けられた幅寸法の広い幅広部７６とによって構成されている。これにより、前記幅狭部７５の両脇には、当該幅狭部７５の内側に突出した突片７７，７７が形成されている。
【００３２】
この取付部７３の上方開口部８１からは（図４及び図６参照）、図５から図７に示すように、支持部を構成する支持部品８０が挿入された状態で固定されるように構成されている。
【００３３】
この支持部品８０を構成するベース部材８２は、合成樹脂によって形成されており、図８及び図９に示すように、矩形板状のベース本体８３と、該ベース本体８３より下方に延出した下方延出部８４とによって構成されている。該下方延出部８４の先端には、係合爪８５が設けられており、当該支持部品８０を、図５から図７に示したように、前記取付部７３の前記幅広部７６に挿入した状態で、前記ベース本体８３が前記突片７７，７７に支持されるとともに、前記係止爪８５が前記底板部３２の底面２２に係合するように構成されている。このとき、前記取付部７３への前記ベース部材８２の抜き差し方向８６は、前記金型移動方向７４と一致するように設定されている。
【００３４】
また、前記突片７７，７７は、図５に示したように、薄肉に形成されており、当該突片７７，７７が構成する前記支柱３３，３３の突出部壁面７８が前記ベース部材８２のローラー取付面７９と略面一となるように構成されている。
【００３５】
なお、前記突出部壁面７８は、本考案のフレーム１１の内側の壁面を構成している。
【００３６】
また、本実施の形態において、前記ベース部材８２のローラー取付面７９と前記突出部壁面７８とが略面一とは、前記ローラー取付面７９が前記突出部壁面７８から１ｍｍ〜２ｍｍ突出する範囲までを含むものとし、前記引出１３との干渉が防止できる範囲内とする。また、前記ローラー取付面７９が前記突出部壁面７８から１ｍｍ〜２ｍｍ後退するものも含むものとする。
【００３７】
また、前記ベース本体８３には、図８及び図９に示したように、円形穴９１が設けられており、該円形穴９１には、図５から図７に示したように、金属製のフレーム側ローラー９２を挿通した軸部９３が固定されるように構成されている。これにより、当該ベース部材８２には、前記フレーム側ローラー９２が回動自在に支持されており、当該ベース部材８２を、図４及び図７に示したように、前記取付部７３に固定した状態で、前記フレーム側ローラー９２を前記フレーム側レール５１の延長上に配置できるように構成されている。
【００３８】
このフレーム構成部材２１の左右の支柱３３，・・・間に保持される前記引出１３は、合成樹脂によって形成されており、図１０にも示すように、上方が開口した矩形容器状に形成されている。この引出１３は、上下方向に型開きされる金型によって成形されており、左右の側面１０１，１０１の横幅寸法及び前面１０２並びに後面１０３の奥行き寸法は、抜き勾配によって下方へ向かうに従って小さくなるように形成されている。これにより、対向した左右の側面１０１，１０１と、対向した前面１０２及び後面１０３は傾斜するとともに、内径寸法が上方へ向かうに従って広がるように設定されており、引出１３，１３同士を重ねて保管できるように構成されている。
【００３９】
この引出１３には、各側面１０１，１０１の下部に引出側レール１１１が固定されており、該引出側レール１１１は、前記フレーム１１より硬質の金属によって構成されている。
【００４０】
この引出側レール１１１は、図１０及び図１１にも示すように、側面部１２１と天面部１２２とからなる断面Ｌ字状に形成されており、前記側面部１２１には、前記引出１３の側面１０１に設けられた固定部１２３，・・・に固定される固定爪１２４，・・・が切り起こされている。前記側面部１２１の端部には、本考案の被係合部を構成する引出側ローラー１２５が回転自在に支持されており、該引出側ローラー１２５が位置する前記天面部１２２の端部には、前記引出側ローラー１２５の上部が突出させる為の切欠部１２６が設けられている。
【００４１】
これにより、図１２に示すように、前記引出１３より側方に突出した前記引出側ローラー１２５は、前記フレーム構成部材２１に設けられた前記フレーム側レール５１に案内される一方、前記フレーム構成部材２１に設けられたフレーム側ローラー９２は、前記引出１３に設けられた前記引出側レール１１１に案内されるように構成されている。
【００４２】
そして、前記フレーム１１から前記引出１３を引き出す際には、前記フレーム構成部材２１に設けられた前記フレーム側ローラー９２が前記引出１３に設けられた前記引出側レール１１１の前記天面部１２２を支持する一方、前記引出１３が当該引出１３の荷重によって前のめりになった際には、該引出１３に設けられた前記引出側ローラー１２５が前記フレーム構成部材２１に形成された前記フレーム側レール５１の前記上方ガイド部６２に支持されるように構成されている（図示省略）。さらに、前記引出１３を引き出した際には、図１３に示すように、前記引出側ローラー１２５が前記フレーム側レール５１から離脱することによって、当該引出１３をチェスト本体１２から取り出せるように構成されている。
【００４３】
以上の構成にかかる本実施の形態において、引出１３を支持する支持部品８０は、フレーム１１と別部材からなるベース部材８２と、該ベース部材８２に回転自在に設けられた引出側ローラー９２とで構成されており、前記フレーム１１の前記突出部壁面７１には、前記支持部品８０が取り付けられる取付部７３が設けられている。
【００４４】
このため、前記支持部品８０を前記フレーム１１に一体形成しなければならなかった従来と比較して、前記フレーム１１を容易に樹脂成形することができる。
【００４５】
そして、前記ベース部材を前記取付部に取り付けた状態では、当該ベース部材が前記壁面内に配置され、前記ローラーが設けられた前記ベース部材のローラー取付面が前記壁面と略面一となるように構成されている。
【００４６】
このため、前記ベース部材が内側に突出する場合と比較して、前記ベース部材と引出との干渉が防止される。
【００４７】
また、前記ベース部材８２を前記取付部７３に取り付けた状態では、当該ベース部材８２が前記突出部壁面７１内に配置され、前記フレーム側ローラー９２が設けられた前記ベース部材８２のローラー取付面７９が前記突出部壁面７１と略面一となるように構成されている。このため、前記ベース部材８２が内側に突出する場合と比較して、前記引出１３及び該引出１３に設けられた引出側ローラー１２５との干渉を防止することができる。これにより、引出１３の引っ掛かりを防止し、引出１３のスムーズな出し入れを実現することができる。
【００４８】
また、前記支持部品８０を、前記フレーム１１と別部材で構成することによって、当該支持部品８０のフレーム側ローラー９２を金属で構成することができる。これにより、引出１３のスライド性を高めることができる。
【００４９】
図１４及び図１５は、前記支持部品８０の変形例を示す図であり、当該支持部品８０のベース部材８２の一側面には、前記取付部７３の前記突片７７，７７間に挿入される段差部１５１が形成されている。
【００５０】
この段差部１５１は、前記突片７７，７７間の前記幅狭部７５の幅寸法と同寸法の幅寸法に設定されているとともに、前記突片７７の厚み寸法と同寸法の肉厚Ｔに設定されている。そして、この段差部１５１には、前記フレーム側レール９２が取り付けられるローラ取付面７９が設定されている。
【００５１】
このような構成においては、前記取付部７３の幅広部７６に前記ベース部材８２を挿入した状態において、該ベース部材８２に形成された前記段差部１５１が前記幅広部７６に挿入され、この段差部１５１によって前記幅広部７６の開口部分を埋めることができる。
【００５２】
このため、前記幅広部７６の開口部分が開口する場合と比較して、前記幅広部７６の開口縁部の前記引出１３及び前記引出側ローラー１２５への不用意な引っ掛かりを防止することができる。
【図面の簡単な説明】
【００５３】
【図１】本考案の一実施の形態の正面を示す一部断面図である。
【図２】同実施の形態の側面図である。
【図３】同実施の形態の要部を示す一部断面図である。
【図４】同実施の形態のフレームを示す断面図である。
【図５】同実施の形態のフレームの要部を示す平面図である。
【図６】同実施の形態のフレームの要部を示す断面図である。
【図７】同実施の形態のフレーム構成部材の要部を示す図であり、（ａ）は支柱の取付部部分を示す断面図であり、（ｂ）は取付部に支持部品を取り付けた状態を示す側面図である。
【図８】同実施の形態のベース部材を示す図であり、（ａ）は平面図、（ｂ）は側面図、（ｃ）は底面図である。
【図９】同実施の形態のベース部材を分解断面図である。
【図１０】同実施の形態の要部を示す断面図である。
【図１１】同実施の形態の引出側レールを示す図で、（ａ）は平面図であり、（ｂ）は側面図である。
【図１２】同実施の形態の動作を示す説明図である。
【図１３】図１２に続く動作を示す説明図である。
【図１４】本考案の他の実施の形態を示す図である。
【図１５】同実施の形態のフレームの要部を示す平面図である。
【符号の説明】
【００５４】
１    チェスト
１１    フレーム
１２    チェスト本体
１３    引出
７１    突出部壁面
７３    取付部
７４    金型移動方向
７９    ローラー取付面
８０    支持部品
８２    ベース部材
８６    抜き差し方向
９２    フレーム側ローラ
１５１    段差部
Ｔ    厚み寸法
【図１】
0003118067.tif 000003
【図２】
0003118067.tif 000004
【図３】
0003118067.tif 000005
【図４】
0003118067.tif 000006
【図５】
0003118067.tif 000007
【図６】
0003118067.tif 000008
【図７】
0003118067.tif 000009
【図８】
0003118067.tif 000010
【図９】
0003118067.tif 000011
【図１０】
0003118067.tif 000012
【図１１】
0003118067.tif 000013
【図１２】
0003118067.tif 000014
【図１３】
0003118067.tif 000015
【図１４】
0003118067.tif 000016
【図１５】
0003118067.tif 000017